(57)【要約】【課題】トナーカートリッジと現像器との間のトナー漏れを抑制することのできる画像形成装置を提供すること。【解決手段】  フレーム４０と、フレーム４０に支持された感光ドラム１７と、フレーム４０に支持された回動軸７７を支点として回動可能な現像器２４であって、トナー受入口７３を有し、感光ドラム１７と接触するように構成される現像ローラ２５を備える現像器２４と、トナー供給口９７を有するトナーカートリッジ１５と、トナー受入口７３の周囲を覆うとともにトナー供給口９７の周囲を覆い、トナー受入口７３とトナー供給口９７とを連通する連通口８０を有するシール部材６３とを備え、現像器２４は、トナーカートリッジ１５に近づくように回動するときに、シール部材６３の後端部６３Ａと、連通口８０を挟んで後端部６３Ａと反対側に配置されたシール部材６３の前端部６３Ｂとを圧縮する。【選択図】図７
2017076054.tif 000002
【特許請求の範囲】
【請求項１】
フレームと、
前記フレームに支持された感光ドラムと、
前記フレームに支持された回動軸を支点として回動可能な現像器であって、トナー受入口を有し、前記感光ドラムと接触するように構成される現像ローラを備える現像器と、
前記トナー受入口に向かい合うトナー供給口を有するトナーカートリッジと、
前記トナー受入口の周囲および前記トナー供給口の周囲を覆うシール部材であって、変形可能なシール部材であって、前記トナーカートリッジが装着されたときに前記トナー受入口と前記トナー供給口とを連通する連通口を有するシール部材であって、第１端部と、前記連通口を挟んで前記第１端部と反対側に配置された第２端部と、を有するシール部材と、を備え、
前記現像器は、前記トナーカートリッジに近づくように回動するときに、前記シール部材の前記第１端部と、前記シール部材の第２端部とを圧縮することを特徴とする、画像形成装置。
【請求項２】
前記回動軸は、前記感光ドラムの接線であって、前記感光ドラムの軸線と前記現像ローラの軸線とを通る線分と直交する仮想線上に位置することを特徴とする、請求項１に記載の画像形成装置。
【請求項３】
前記回動軸は、前記線分の延びる方向において、前記シール部材と、前記感光ドラムの軸線との間に位置することを特徴とする、請求項２に記載の画像形成装置。
【請求項４】
前記現像器は、前記感光ドラムの軸線方向に突出する突出部を備え、
前記フレームは、前記突出部を受け入れる穴を備えることを特徴とする、請求項１〜３のいずれか一項に記載の画像形成装置。
【請求項５】
前記感光ドラムに接触している前記現像ローラを、前記感光ドラムから離間させるための離間部材を有し、
前記離間部材は、前記突出部を押圧することで、前記感光ドラムから前記現像ローラを離間させることを特徴とする、請求項４に記載の画像形成装置。
【請求項６】
前記現像ローラを前記感光ドラムに向けて押圧するためのばねを備えることを特徴とする、請求項１〜５のいずれか一項に記載の画像形成装置。
【請求項７】
前記シール部材は、前記現像器の回動方向に沿って変形可能であることを特徴とする、請求項１〜６のいずれか一項に記載の画像形成装置。
【請求項８】
前記フレームは、前記トナーカートリッジが装着された状態で、前記トナーカートリッジと前記シール部材との間に位置する隔壁であって、前記トナー受入口と前記トナー供給口とを連通するトナー連通口を有する隔壁を備えることを特徴とする、請求項１〜７のいずれか一項に記載の画像形成装置。
【請求項９】
前記フレームは、前記トナーカートリッジが装着されたときに、前記トナーカートリッジと接触する接触壁を備え、
前記接触壁は、前記現像器の回動方向において、前記トナーカートリッジに対して、前記シール部材と反対側に位置することを特徴とする、請求項１〜８のいずれか一項に記載の画像形成装置。
【請求項１０】
前記トナーカートリッジは、前記フレームに装着されたときに、前記シール部材を圧縮するように構成されることを特徴とする、請求項１〜９のいずれか一項に記載の画像形成装置。
【請求項１１】
前記シール部材は、前記トナーカートリッジの前記フレームに対する着脱方向と略直交する方向に沿って変形可能であることを特徴とする、請求項１〜１０のいずれか一項に記載の画像形成装置。
【請求項１２】
前記回動軸は、前記感光ドラムおよび前記現像ローラよりも上方に位置することを特徴とする、請求項１〜１１のいずれか一項に記載の画像形成装置。
【請求項１３】
前記トナーカートリッジは、
トナーを収容するトナー収容部と、
前記トナー収容部内のトナーを前記現像器に搬送するための搬送部であって、前記トナー供給口が設けられる搬送部であって、前記シール部材よりも上方に配置された搬送部と、を有し、
前記トナー収容部の少なくとも一部は、前記シール部材よりも下方に配置されていることを特徴とする、請求項１〜１２のいずれか一項に記載の画像形成装置。
【発明の詳細な説明】
【技術分野】
【０００１】
本発明は、電子写真方式が採用される画像形成装置に関する。
【背景技術】
【０００２】
電子写真方式の画像形成装置として、感光体ドラムと、現像ローラを有する現像装置と、トナーが収容されるトナーカートリッジとを備える画像形成装置が知られている。
【０００３】
このような画像形成装置として、トナーカートリッジの供給口と、現像装置の被供給口とを向かい合わせて、トナーカートリッジ内のトナーを現像装置に供給する画像形成装置が知られている。
【０００４】
そして、この画像形成装置では、感光体ドラムに対して現像装置を揺動させている。
【０００５】
なお、このような画像形成装置において、トナーカートリッジのトナー容量が多い場合には、トナーカートリッジを現像装置とともに揺動させるのは困難であるために、現像装置が、感光体ドラムに対してだけでなく、トナーカートリッジに対しても、揺動する構成が知られている。
【０００６】
そして、供給口の周囲に、弾性部材からなるシール部材を配置し、トナーカートリッジと現像装置との当接状態を保ち、トナーカートリッジの供給口と、現像装置の被供給口との間からのトナーの飛散を防止する画像形成装置が知られている（例えば、特許文献１参照）。
【先行技術文献】
【特許文献】
【０００７】
【特許文献１】特開２００９−１５１２８０号公報
【発明の概要】
【発明が解決しようとする課題】
【０００８】
しかるに、上記した特許文献１に記載の画像形成装置では、現像装置がトナーカートリッジに近づくように揺動すると、シール部材において、現像装置がトナーカートリッジに対して近づくことにより圧縮される部分と、現像装置がトナーカートリッジから離れることにより圧縮が解除される部分とが生じる。
【０００９】
そのため、シール部材が圧縮される部分は、シール部材がトナーカートリッジと確実に当接することでトナー漏れを抑制することができるものの、シール部材の圧縮が解除される部分については、シール部材がトナーカートリッジから離間し、隙間を生じる場合があり、トナー漏れの原因となる。
【００１０】
そこで、本発明の目的は、トナーカートリッジと現像器との間のトナー漏れを抑制することのできる画像形成装置を提供することにある。
【課題を解決するための手段】
【００１１】
本発明の画像形成装置は、フレームと、フレームに支持された感光ドラムと、フレームに支持された回動軸を支点として回動可能な現像器であって、トナー受入口を有し、感光ドラムと接触するように構成される現像ローラを備える現像器と、トナー受入口に向かい合うトナー供給口を有するトナーカートリッジと、トナー受入口の周囲およびトナー供給口の周囲を覆うシール部材であって、変形可能なシール部材であって、トナーカートリッジが装着されたときにトナー受入口とトナー供給口とを連通する連通口を有するシール部材であって、第１端部と、連通口を挟んで第１端部と反対側に配置された第２端部と、を有するシール部材と、を備え、現像器は、トナーカートリッジに近づくように回動するときに、シール部材の第１端部と、シール部材の第２端部とを圧縮する。
【発明の効果】
【００１２】
本発明の画像形成装置によれば、トナーカートリッジと現像器との間のトナー漏れを抑制することができる。
【図面の簡単な説明】
【００１３】
【図１】図１は、本発明の画像形成装置の第１実施形態を示す中央断面図である。
【図２】図２Ａは、図１に示すドラムカートリッジの中央断面図である。図２Ｂは、図２Ａに示すドラムカートリッジの側面図である。
【図３】図３は、図２Ａに示すドラムカートリッジの平面図である。
【図４】図４Ａは、図１に示すトナーカートリッジの中央断面図であって、円筒部が起立位置に位置し、シャッタが開放位置に位置した状態を示す。図４Ｂは、図１に示すトナーカートリッジの中央断面図であって、円筒部が傾倒位置に位置し、シャッタが閉鎖位置に位置した状態を示す。
【図５】図５は、図４Ｂに示すトナーカートリッジの平面図である。
【図６】図６は、図４Ｂに示すトナーカートリッジのＡ−Ａ線における断面図である。
【図７】図７Ａは、図１に示すプロセスカートリッジであって、現像ローラが感光ドラムに接触した状態を示す。図７Ｂは、図１に示すプロセスカートリッジであって、現像ローラが感光ドラムから離間した状態を示す。
【図８】図８は、図７Ａに示すプロセスカートリッジにおいて、円筒部が傾倒位置に位置し、シャッタが閉鎖位置に位置した状態を示す。
【図９】図９は、ドラムカートリッジに対するトナーカートリッジの着脱を説明する説明図である。
【図１０】図１０は、画像形成装置に対するプロセスカートリッジの着脱を説明する説明図である。
【図１１】図１１Ａは、本発明の画像形成装置の第２実施形態におけるドラムカートリッジの中央断面図である。図１１Ｂは、本発明の画像形成装置の第２実施形態におけるプロセスカートリッジの中央断面図である。
【図１２】図１２は、本発明の画像形成装置の第３実施形態におけるドラムカートリッジの中央断面図である。
【図１３】図１３は、本発明の画像形成装置の第３実施形態におけるトナーカートリッジであって、図６に示すトナーカートリッジに対応する断面図である。
【図１４】図１４Ａは、第１実施形態の変形例におけるドラムカートリッジの中央断面図である。図１４Ｂは、第２実施形態の変形例におけるドラムカートリッジの中央断面図である。
【発明を実施するための形態】
【００１４】
以下、画像形成装置１について説明する。以下の説明において、方向に言及するときには、図中に示す方向矢印を基準とする。
【００１５】
１．プリンタの概略
図１に示すように、画像形成装置１は、電子写真方式のモノクロプリンタである。画像形成装置１は、開口部９を有する装置本体２と、プロセスカートリッジ３と、スキャナユニット７と、定着ユニット８と、読取部３５とを備える。
【００１６】
装置本体２は、略ボックス形状を有する。装置本体２は、フロントカバー１０と、給紙トレイ１１と、排紙トレイ１２とを備える。
【００１７】
開口部９は、装置本体２の前端部に位置する。開口部９は、装置本体２の内外を連通する。開口部９は、プロセスカートリッジ３の通過を許容する。
【００１８】
フロントカバー１０は、装置本体２の前端部に位置する。フロントカバー１０は、上下方向に延びる略板状を有する。フロントカバー１０は、装置本体２の前端部に、フロントカバー１０の下端部を支点として揺動可能に支持される。フロントカバー１０は、開口部９を閉鎖する閉位置と、開口部９を開放する開位置（図９および図１０参照）とに揺動可能である。
【００１９】
給紙トレイ１１は、装置本体２の下端部に位置する。給紙トレイ１１は、用紙Ｐを収容可能なトレイである。
【００２０】
排紙トレイ１２は、装置本体２の上面の前後方向略中央に位置する。排紙トレイ１２は、用紙Ｐが載置されるように、装置本体２の上面から下方へ凹む。
【００２１】
プロセスカートリッジ３は、装置本体２に対して着脱可能である。プロセスカートリッジ３は、装置本体２内の上下方向略中央に位置する。プロセスカートリッジ３は、給紙トレイ１１の上方かつ排紙トレイ１２の下方に位置する。プロセスカートリッジ３は、ドラムカートリッジ１４と、トナーカートリッジ１５とを備える。
【００２２】
ドラムカートリッジ１４は、感光ドラム１７と、転写ローラ１８と、帯電ローラ１９と、帯電ローラ１９の表面に付着した残トナーや紙粉などの付着物を除去するように構成される帯電クリーニングローラ２０と、感光ドラム１７に付着した付着物を回収し、貯留するように構成されるドラムクリーニングユニット２１と、現像器２４とを備える。
【００２３】
感光ドラム１７は、ドラムカートリッジ１４の後端部に位置する。感光ドラム１７は、左右方向に延びる略円筒形状を有する。
【００２４】
転写ローラ１８は、感光ドラム１７の下方に位置する。転写ローラ１８は、感光ドラム１７に接触する。
【００２５】
帯電ローラ１９は、感光ドラム１７の後上方に位置する。帯電ローラ１９は、感光ドラム１７に接触する。帯電ローラ１９は、感光ドラム１７の表面を帯電するように構成される。
【００２６】
現像器２４は、感光ドラム１７の前方に位置する。現像器２４は、現像ローラ２５と、供給ローラ２６と、層厚規制ブレード２７とを備える。
【００２７】
現像ローラ２５は、現像器２４の後端部に位置する。現像ローラ２５は、感光ドラム１７の前方の周面に接触する。現像ローラ２５は、現像器２４に回転可能に支持される。つまり、現像ローラ２５と、感光ドラム１７とは、前後方向に並んでいる。
【００２８】
供給ローラ２６は、現像ローラ２５の前下方に位置する。供給ローラ２６は、現像ローラ２５の前下方の表面に接触する。供給ローラ２６は、現像器２４に回転可能に支持される。
【００２９】
層厚規制ブレード２７は、現像ローラ２５の前上方に位置する。層厚規制ブレード２７の下端部は、現像ローラ２５の前方の表面に接触する。
【００３０】
トナーカートリッジ１５は、ドラムカートリッジ１４に着脱可能である。トナーカートリッジ１５は、現像器２４の前方に位置する。トナーカートリッジ１５は、トナーを収容可能である。詳しくは後述するが、トナーカートリッジ１５は、内部のトナーを現像器２４に供給可能である。
【００３１】
スキャナユニット７は、プロセスカートリッジ３の上方に位置する。スキャナユニット７は、感光ドラム１７に向けて画像データに基づくレーザービームＬを出射可能である。
【００３２】
定着ユニット８は、プロセスカートリッジ３の後方に位置する。定着ユニット８は、加熱ローラ３２と、加熱ローラ３２と接触する加圧ローラ３３とを備える。
【００３３】
読取部３５は、装置本体２の上方に位置する。読取部３５は、排紙トレイ１２の上方に間隔を隔てて位置する。読取部３５は、フラットベッドタイプのイメージスキャナである。読取部３５は、原稿の画像情報を読み取るように構成される。
【００３４】
２．ドラムカートリッジ
ドラムカートリッジ１４は、図２Ａおよび図３に示すように、上記した感光ドラム１７および現像器２４を支持するフレーム４０を備える。
【００３５】
（１）フレーム
フレーム４０は、右方の側壁４４Ｒと、左方の側壁４４Ｌと、下壁４６と、溝５０を有する隔壁４７と、トナー連通口５４、右方の切欠き５５Ｒ、および、左方の切欠き５５Ｌを有する隔壁４８とを備える。
【００３６】
側壁４４Ｒは、ガイド部４９と、感光ドラム１７が挿入される穴５８と、支持部５９と、供給ローラ２６の後述する突出部２６ＣＲを受け入れる穴６０とを有する。
【００３７】
また、側壁４４Ｌは、側壁４４Ｒと同様に、ガイド部４９と、穴５８と、支持部５９と、供給ローラ２６の後述する突出部２６ＣＬを受け入れる穴６０とを有する。
【００３８】
なお、ガイド部４９については、側壁４４Ｒで説明するものとし、穴５８、支持部５９、穴６０については、側壁４４Ｌで説明するものとする。
【００３９】
側壁４４Ｒは、フレーム４０の右端部に位置する。側壁４４Ｒは、上下方向および前後方向に延びる。側壁４４Ｒは、板形状を有する。
【００４０】
ガイド部４９は、側壁４４Ｒの前端部に位置する。ガイド部４９は、側壁４４Ｒの左右方向内面から、左右方向外方に向かって窪む。ガイド部４９は、第１溝５１と、第２溝５２とを備える。
【００４１】
第１溝５１は、図２Ａに示すように、側壁４４Ｒの前上端部から後下方に向かって延びる。第１溝５１は、後下方に向かうにつれて、溝幅が小さくなる。第１溝５１は、側面視略三角形状を有する。
【００４２】
第２溝５２は、第１溝５１の後下端部と連続する。第２溝５２は、第１溝５１の後下端部から、後方に向かって延びる。第２溝５２は、係止部５３を備える。
【００４３】
係止部５３は、第２溝５２の前後方向略中央に位置する。係止部５３は、第２溝５２の底面から上方に向かって突出する。係止部５３は、板ばねである。
【００４４】
側壁４４Ｌは、図２Ｂおよび図３に示すように、フレーム４０の左端部に位置する。側壁４４Ｌは、上下方向および前後方向に延びる。側壁４４Ｌは、板形状を有する。
【００４５】
穴５８は、左右方向から見て、ドラムクリーニングユニット２１の前方に位置する。穴５８は、側壁４４Ｌを左右方向に貫通する。穴５８は、側面視円形状を有する。
【００４６】
支持部５９は、穴５８の前上方に位置する。支持部５９は、左右方向に延びる。支持部５９は、円筒形状を有する。支持部５９の左右方向外方端部は、側壁４４Ｌの左右方向外面と略面一である。支持部５９の左右方向内方端部は、側壁４４Ｌの左右方向内面よりも、左右方向内方に位置する。
【００４７】
穴６０は、穴５８の前方、かつ、支持部５９の前下方に位置する。穴６０は、側壁４４Ｌを左右方向に貫通する。穴６０は、長穴形状を有する。穴６０は、支持部５９を中心とする略円弧形状を有する。
【００４８】
下壁４６は、図２Ａおよび図３に示すように、フレーム４０の下端部に位置する。下壁４６は、側壁４４Ｒの下端部と側壁４４Ｌの下端部との間に位置する。下壁４６は、左右方向および前後方向に延びる。下壁４６は、板形状を有する。下壁４６は、２つのばね６１を備える。
【００４９】
２つのばね６１は、下壁４６の前後方向略中央に位置する。２つのばね６１は、現像器２４の前方に位置する。２つのばね６１は、左右方向に間隔を隔てて位置する。ばね６１は、コイルばねである。ばね６１の基端は、下壁４６に固定される。ばね６１の自由端は、上方に向かって延びる。
【００５０】
隔壁４７は、左右方向から見て、側壁４４Ｒおよび側壁４４Ｌの第２溝５２の後方に位置する。隔壁４７は、現像器２４と、第２溝５２との間に位置する。隔壁４７は、下壁４６の前後方向略中央から、後上方に向かって延びる。隔壁４７は、側壁４４Ｒと側壁４４Ｌとの間に位置する。隔壁４７は、後方に向かうにつれて、上方に向かって湾曲する。隔壁４７は、第２溝５２の後端部を中心とする略円弧形状を有する。
【００５１】
溝５０は、隔壁４７の左右方向略中央に位置する。溝５０は、隔壁４７を前後方向に貫通する。溝５０は、上下方向に延びる。溝５０は、正面視略矩形状を有する。溝５０は、隔壁４７から連続して、下壁４６の前端部まで延びる。
【００５２】
隔壁４８は、隔壁４７の後上方に位置する。隔壁４７は、左右方向に延びる。隔壁４８は、前方が開放された略半円筒形状を有する。隔壁４８は、側壁４４Ｒと側壁４４Ｌとの間に位置する。隔壁４８の前下端部は、隔壁４７の上端部に接続される。隔壁４８は、ロック部５６を備える。
【００５３】
ロック部５６は、隔壁４８の径方向に内方に位置する。ロック部５６は、左右方向に延びる。ロック部５６は、前方が開放された半円筒形状を有する。ロック部５６の外周面は、隔壁４８の内周面に沿っている。ロック部５６は、前方が開放されるように隔壁４８の内方における後端部に位置し、隔壁４８のトナー連通口５４を閉鎖する第１位置（図２Ａ参照）と、下方が開放されるように隔壁４８の内方における上端部に位置し、トナーカートリッジ１５の後述する搬送管９４と係合し、隔壁４８のトナー連通口５４を開放する第２位置（図７Ａ参照）とに、隔壁４８の内周面に沿って移動可能である。
【００５４】
トナー連通口５４は、隔壁４８の左右方向略中央に位置する。トナー連通口５４は、隔壁４８の下方の周面を上下方向に貫通する。トナー連通口５４は、平面視略矩形状を有する。
【００５５】
切欠き５５Ｒは、隔壁４８の上端部に位置する。切欠き５５Ｒは、図３に示すように、上下方向から見て、溝５０の右端部と重なる。切欠き５５Ｒは、隔壁４８の前上端部を上下方向に貫通する。切欠き５５Ｒは、隔壁４８の前上端部から、後方に向かって、略直線状に延びる。
【００５６】
切欠き５５Ｌは、隔壁４８の上端部に位置する。切欠き５５Ｌは、上下方向から見て、溝５０の左端部と重なる。切欠き５５Ｌは、隔壁４８の前上端部を上下方向に貫通する。切欠き５５Ｌは、隔壁４８の前上端部から、後方に向かって、略直線状に延びる。
【００５７】
また、詳しくは後述するが、トナーカートリッジ１５は、フレーム４０において、隔壁４７よりも前方に装着される。このように、フレーム４０において、隔壁４７、下壁４６の前方部分、側壁４４Ｒおよび側壁４４Ｌの前方部分によって画定される部分が、トナーカートリッジ装着部５７である。
【００５８】
（２）感光ドラム
感光ドラム１７は、図２Ａおよび図３に示すように、ドラム本体１７Ａと、ドラム軸１７Ｂとを備える。
【００５９】
ドラム本体１７Ａは、感光ドラム１７の径方向において、感光ドラム１７の外周部分に位置する。ドラム本体１７Ａは、左右方向に延びる。ドラム本体１７Ａは、左右方向両端部が閉鎖された円筒形状を有する。
【００６０】
ドラム軸１７Ｂは、感光ドラム１７の径方向において、感光ドラム１７の中央に位置する。ドラム軸１７Ｂは、左右方向に延びる。ドラム軸１７Ｂは、円柱形状を有する。ドラム軸１７Ｂの右端部は、図３に示すように、ドラム本体１７Ａの右端部よりも右方に突出する。ドラム軸１７Ｂの右端部は、側壁４４Ｒの穴５８に挿通される。ドラム軸１７Ｂの右端部は、側壁４４Ｒよりも右方に突出する。ドラム軸１７Ｂの左端部は、ドラム本体１７Ａの左端部よりも左方に突出する。ドラム軸１７Ｂの左端部は、側壁４４Ｌの穴５８に挿通される。ドラム軸１７Ｂの左端部は、側壁４４Ｌよりも左方に突出する。
【００６１】
（３）現像器
現像器２４は、図２Ａに示すように、ドラムカートリッジ１４の前後方向略中央に位置する。現像器２４は、上記した現像ローラ２５と、上記した供給ローラ２６とを支持する現像フレーム６２と、第１スクリュー２９と、第２スクリュー３０と、連通口８０を有するシール部材６３とを備える。
【００６２】
（３−１）現像フレーム
現像フレーム６２は、図２Ａおよび図３に示すように、右方の側壁６５Ｒと、左方の側壁６５Ｌと、前壁６６と、下壁６７と、上壁６８と、区画壁７０と、右方のアーム７６Ｒと、左方のアーム７６Ｌとを備える。
【００６３】
側壁６５Ｒは、現像フレーム６２の右端部に位置する。側壁６５Ｒは、上下方向および前後方向に延びる。側壁６５Ｒは、板形状を有する。
【００６４】
側壁６５Ｌは、現像フレーム６２の左端部に位置する。側壁６５Ｌは、上下方向および前後方向に延びる。側壁６５Ｌは、板形状を有する。
【００６５】
前壁６６は、現像フレーム６２の前端部に位置する。前壁６６は、側壁６５Ｒの前端部と側壁６５Ｌの前端部との間に位置する。下壁６７は、上下方向および左右方向に延びる。前壁６６は、板形状を有する。
【００６６】
下壁６７は、図２Ａに示すように、現像フレーム６２の下端部に位置する。下壁６７は、側壁６５Ｒの下端部と側壁６５Ｌの下端部との間に位置する。下壁６７は、前後方向および左右方向に延びる。下壁６７は、板形状を有する。下壁６７の前端部は、前壁６６の下端部に接続される。
【００６７】
上壁６８は、図２Ａおよび図３に示すように、現像フレーム６２の上端部に位置する。上壁６８は、側壁６５Ｒの上端部と側壁６５Ｌの上端部との間に位置する。上壁６８は、前後方向および左右方向に延びる。上壁６８の前端部は、図２Ａに示すように、前壁６６の上端部に接続される。上壁６８の後端部は、層厚規制ブレード２７を支持する。上壁６８は、トナー受入口７３を有する湾曲部７２を備える。
【００６８】
湾曲部７２は、上壁６８の前端部を構成する。湾曲部７２は、下方に向かってわずかに窪む円弧形状を有する。湾曲部７２は、板形状を有する。
【００６９】
トナー受入口７３は、図２Ａおよび図３に示すように、湾曲部７２の左右方向略中央に位置する。トナー受入口７３は、区画壁７０よりも前方に位置する。トナー受入口７３は、湾曲部７２を上下方向に貫通する。
【００７０】
区画壁７０は、図２Ａに示すように、前壁６６の後方に位置する。区画壁７０は、側壁６５Ｒと側壁６５Ｌとの間に位置する。区画壁７０は、上壁６８の前後方向略中央から、下方に向かって延びる。区画壁７０は、板形状を有する。区画壁７０の下端部は、供給ローラ２６の前方に位置する。区画壁７０の下端部は、下壁６７の上方に間隔を隔てて位置する。
【００７１】
なお、区画壁７０は、現像フレーム６２の内部空間を、区画壁７０よりも後方の現像部３１と、区画壁７０よりも前方のトナー収容部２８とに区画する。
【００７２】
アーム７６Ｒは、図２Ａおよび図３に示すように、側壁６５Ｒの上面から、後上方に向かって延びる。アーム７６Ｒは、後上方に向かうにつれて細くなる略三角形状を有する。アーム７６Ｒは、板形状を有する。アーム７６Ｒは、回動軸７７を備える。
【００７３】
回動軸７７は、アーム７６Ｒの後上端部に位置する。具体的には、回動軸７７は、図２Ａに示すように、感光ドラム１７の接線であり、感光ドラム１７の軸線と、現像ローラ２５の軸線とを通る線分Ｓと直交する仮想線Ｖ上に位置する。また、回動軸７７は、線分Ｓの延びる方向において、感光ドラム１７の軸線と、シール部材６３との間に位置する。回動軸７７は、感光ドラム１７および現像ローラ２５よりも上方に位置する。回動軸７７は、図２Ａおよび図３に示すように、左右方向に延びる円柱形状を有する。回動軸７７の左右方向外方端部は、アーム７６Ｒの左右方向外面よりも、左右方向外方に位置する。回動軸７７の左右方向外方端部は、側壁４４Ｒの支持部５９に挿通される。
【００７４】
アーム７６Ｌは、図３に示すように、側壁６５Ｌの上面から、後上方に向かって延びる。アーム７６Ｌは、左右方向に投影したときに、アーム７６Ｒと同一形状を有する。アーム７６Ｌは、アーム７６Ｒと同様に、回動軸７７を備える。アーム７６Ｌの回動軸７７は、側壁４４Ｌの支持部５９に挿通される。
【００７５】
（３−２）現像ローラ
現像ローラ２５は、図２Ａおよび図３に示すように、現像被覆部２５Ａと、現像シャフト２５Ｂとを備える。
【００７６】
現像被覆部２５Ａは、現像ローラ２５の径方向において、現像ローラ２５の外周部分に位置する。現像被覆部２５Ａは、左右方向に延びる。現像被覆部２５Ａは、円筒形状を有する。
【００７７】
現像シャフト２５Ｂは、現像ローラ２５の径方向において、現像ローラ２５の中央に位置する。現像シャフト２５Ｂは、左右方向に延びる。現像シャフト２５Ｂは、円柱形状を有する。現像シャフト２５Ｂの右端部は、現像被覆部２５Ａの右端部よりも右方に突出する。現像シャフト２５Ｂの右端部は、側壁６５Ｒに回転可能に支持される。現像シャフト２５Ｂの右端部は、側壁６５Ｒよりも右方に突出する。現像シャフト２５Ｂの左端部は、現像被覆部２５Ａの左端部よりも左方に突出する。現像シャフト２５Ｂの左端部は、側壁６５Ｌに回転可能に支持される。現像シャフト２５Ｂの左端部は、側壁６５Ｌよりも左方に突出する。
【００７８】
（３−３）供給ローラ
供給ローラ２６は、供給被覆部２６Ａと、供給シャフト２６Ｂと、右方の突出部２６ＣＲと、左方の突出部２６ＣＬとを備える。
【００７９】
供給被覆部２６Ａは、供給ローラ２６の径方向において、供給ローラ２６の外周部分に位置する。供給被覆部２６Ａは、左右方向に延びる。供給被覆部２６Ａは、円筒形状を有する。
【００８０】
供給シャフト２６Ｂは、供給ローラ２６の径方向において、供給ローラ２６の中央に位置する。供給シャフト２６Ｂは、左右方向に延びる。供給シャフト２６Ｂは、円柱形状を有する。供給シャフト２６Ｂの右端部は、供給被覆部２６Ａの右端部よりも右方に突出する。供給シャフト２６Ｂの右端部は、側壁６５Ｒに回転可能に支持される。供給シャフト２６Ｂの右端部は、側壁６５Ｒよりも右方に突出する。供給シャフト２６Ｂの左端部は、供給被覆部２６Ａの左端部よりも左方に突出する。供給シャフト２６Ｂの左端部は、側壁６５Ｌに回転可能に支持される。供給シャフト２６Ｂの左端部は、側壁６５Ｌよりも左方に突出する。
【００８１】
突出部２６ＣＲは、図３に示すように、供給ローラ２６の右端部に位置する。突出部２６ＣＲは、左右方向に延びる。突出部２６ＣＲは、円筒形状を有する。突出部２６ＣＲは、供給シャフト２６Ｂの右端部に嵌まる。そして、突出部２６ＣＲは、側壁４４Ｒの穴６０に嵌まる。突出部２６ＣＲは、側壁４４Ｒよりも左右方向外方に突出する。
【００８２】
突出部２６ＣＬは、図２Ｂおよび図３に示すように、供給ローラ２６の左端部に位置する。突出部２６ＣＬは、左右方向に延びる。突出部２６ＣＬは、円筒形状を有する。突出部２６ＣＬは、供給シャフト２６Ｂの左端部に嵌まる。そして、突出部２６ＣＬは、側壁４４Ｌの穴６０に嵌まる。突出部２６ＣＬは、側壁４４Ｌよりも左右方向外方に突出する。
【００８３】
（３−４）第１スクリューおよび第２スクリュー
第１スクリュー２９は、図２Ａに示すように、現像部３１内に位置する。具体的には、第１スクリュー２９は、供給ローラ２６の上方、かつ、区画壁７０の後方に位置する。第１スクリュー２９の右端部は、側壁６５Ｒに回転可能に支持される。第１スクリュー２９の左端部は、側壁６５Ｌに回転可能に支持される。
【００８４】
第２スクリュー３０は、トナー収容部２８内に位置する。つまり、第２スクリュー３０は、区画壁７０の前方に位置する。第２スクリュー３０の右端部は、側壁６５Ｒに回転可能に支持される。第２スクリュー３０の左端部は、側壁６５Ｌに回転可能に支持される。
【００８５】
（３−５）シール部材
シール部材６３は、湾曲部７２の上面に位置する。シール部材６３は、ウレタンフォームである。また、シール部材６３は、ポリエチレンフォームやゴムスポンジに代替することができる。シール部材６３は、変形可能である。シール部材６３は、平面視略矩形状を有する。シール部材６３は、湾曲部７２の上面に接着される。シール部材６３は、湾曲部７２の上面に沿って、湾曲する形状を有する。シール部材６３は、現像器２４のトナー受入口７３の周囲および後述するトナーカートリッジ１５のトナー供給口９７の周囲を覆う。
【００８６】
連通口８０は、シール部材６３の平面視略中央に位置する。連通口８０は、シール部材６３を上下方向に貫通する。連通口８０は、平面視略矩形状を有する。連通口８０は、上下方向に投影したときに、湾曲部７２のトナー受入口７３と一致する。
【００８７】
なお、シール部材６３の前端部６３Ｂ（第２端部）は、連通口８０を挟んで、シール部材６３の後端部６３Ａ（第１端部）の反対側に位置する。
【００８８】
（４）現像器のドラムカートリッジに対する組み付け状態
上記したように、現像器２４は、図２Ｂおよび図３に示すように、アーム７６Ｒの回動軸７７が側壁６５Ｒの支持部５９に挿通され、アーム７６Ｌの回動軸７７が側壁６５Ｌの支持部５９に挿通され、突出部２６ＣＲが側壁４４Ｒの穴６０に嵌まり、突出部２６ＣＬが側壁４４Ｌの穴６０に嵌まることで、ドラムカートリッジ１４のフレーム４０に支持される。これにより、現像器２４は、回動軸７７を支点として、穴６０に沿って、回動可能となる。
【００８９】
また、図２Ａおよび図３に示すように、現像器２４の側壁６５Ｒの前下端部は、右方のばね６１の自由端の後面と接触する。現像器２４の側壁６５Ｌの前下端部は、左方のばね６１の自由端と接触する。これにより、現像器２４は、２つのばね６１によって、穴６０に沿って、常には、後方に向けて押圧される。言い換えると、ばね６１は、現像ローラ２５を感光ドラム１７に向けて押圧する。
【００９０】
これにより、感光ドラム１７に対して、現像ローラ２５の現像被覆部２５Ａが接触する。
【００９１】
また、図２Ａに示すように、シール部材６３の上面が、隔壁４８の下方の周面と接触する。シール部材６３は、隔壁４８と、湾曲部７２との間において、上下方向に圧縮された状態で保持される。つまり、シール部材６３は、現像器２４の回動方向に沿って変形可能である。
【００９２】
３．トナーカートリッジ
（１）トナーカートリッジの構成
トナーカートリッジ１５は、図４Ａおよび図５に示すように、トナー収容部８５と、搬送部８６と、連動部８７とを備える。
【００９３】
（１−１）トナー収容部
トナー収容部８５は、内部にトナーを収容する。トナー収容部８５は、図４Ａおよび図６に示すように、左右方向に延びる。トナー収容部８５は、左右方向両端部が閉鎖された略円筒形状を有する。トナー収容部８５は、アジテータ９０を備える。
【００９４】
アジテータ９０は、アジテータ軸９０Ａと、羽根９０Ｂと、アジテータギア９１とを備える。
【００９５】
アジテータ軸９０Ａは、左右方向から見て、トナー収容部８５の中央に位置する。アジテータ軸９０Ａは、左右方向に延びる。アジテータ軸９０Ａは、円柱形状を有する。アジテータ軸９０Ａの右端部は、トナー収容部８５の右壁に回転可能に支持される。アジテータ軸９０Ａの右端部は、トナー収容部８５の右端部よりも右方に突出する。アジテータ軸９０Ａの左端部は、トナー収容部８５の左壁に回転可能に支持される。アジテータ軸９０Ａの左端部は、トナー収容部８５の左端部よりも左方に突出する。
【００９６】
羽根９０Ｂは、トナー収容部８５内に位置する。羽根９０Ｂは、アジテータ軸９０Ａから、アジテータ９０の径方向外方に延びる。羽根９０Ｂは、トナー収容部８５の内面に接触する。
【００９７】
アジテータギア９１は、トナー収容部８５の左方に位置する。アジテータギア９１は、アジテータ軸９０Ａの左端部に固定される。アジテータギア９１は、全周においてギア歯を有する。アジテータギア９１は、アジテータ軸９０Ａとともに回転可能である。
【００９８】
（１−２）搬送部
搬送部８６は、トナー収容部８５の後上方に位置する。搬送部８６は、トナー供給口９７を有する搬送管９４と、右方の連結管９５Ｒと、左方の連結管９５Ｌと、オーガスクリュー９６とを備える。
【００９９】
搬送管９４は、トナー収容部８５の後上方に間隔を隔てて位置する。搬送管９４は、左右方向に延びる。搬送管９４は、左右方向両端部が閉鎖された略円筒形状を有する。搬送管９４の左右方向寸法は、トナー収容部８５の左右方向寸法と略同じである。
【０１００】
トナー供給口９７は、搬送管９４の左右方向略中央に位置する。トナー供給口９７は、搬送管９４の下方の周面を上下方向に貫通する。トナー供給口９７は、平面視略矩形状を有する。
【０１０１】
連結管９５Ｒは、図５および図６に示すように、トナー収容部８５の右後端部と、搬送管９４の右前端部との間に位置する。連結管９５Ｒは、前後方向に延びる。連結管９５Ｒは、角筒形状を有する。連結管９５Ｒは、トナー収容部８５と、搬送管９４とを連通する。
【０１０２】
連結管９５Ｌは、トナー収容部８５の左後端部と、搬送管９４の左前端部との間に位置する。連結管９５Ｌは、前後方向に延びる。連結管９５Ｌは、角筒形状を有する。連結管９５Ｌは、トナー収容部８５と、搬送管９４とを連通する。連結管９５Ｌは、アイドルギア９８を備える。
【０１０３】
アイドルギア９８は、連結管９５Ｌの左方に位置する。アイドルギア９８は、アジテータギア９１の後方に位置する。アイドルギア９８は、連結管９５Ｌの左壁に回転可能に支持される。アイドルギア９８は、全周においてギア歯を有する。アイドルギア９８は、アジテータギア９１と噛み合う。
【０１０４】
オーガスクリュー９６は、搬送管９４内に位置する。オーガスクリュー９６は、左右方向に延びる。オーガスクリュー９６の右半分は、左ねじ状のオーガスクリューである。オーガスクリュー９６の右端部は、搬送管９４の右壁に回転可能に支持される。オーガスクリュー９６の左半分は、右ねじ状のオーガスクリューである。オーガスクリュー９６の左端部は、搬送管９４の左壁に回転可能に支持される。オーガスクリュー９６は、搬送ギア９９を備える。
【０１０５】
搬送ギア９９は、搬送管９４の左方に位置する。搬送ギア９９は、アイドルギア９８の後方に位置する。搬送ギア９９は、オーガスクリュー９６の左端部に固定される。搬送ギア９９は、全周においてギア歯を有する。搬送ギア９９は、オーガスクリュー９６とともに回転可能である。搬送ギア９９は、アイドルギア９８と噛み合う。
【０１０６】
（１−３）連動部
連動部８７は、図４Ｂおよび図５に示すように、円筒部１０１と、貫通穴１０８を有するシャッタ１０２とを備える。
【０１０７】
なお、連動部８７について、円筒部１０１が傾倒位置に位置し、シャッタ１０２が閉鎖位置に位置する状態を基準として説明する。
【０１０８】
円筒部１０１は、トナー収容部８５の左右方向略中央に位置する。円筒部１０１は、トナー収容部８５の周面を被覆する。円筒部１０１は、左右方向に延びる。円筒部１０１は、円筒形状を有する。円筒部１０１は、トナー収容部８５に対して、相対回転可能である。円筒部１０１の後端部は、連結管９５Ｒと連結管９５Ｌとの間に位置する。円筒部１０１は、ハンドル１０４と、ギア部１０５Ｒと、ギア部１０５Ｌとを備える。
【０１０９】
ハンドル１０４は、円筒部１０１の前端部に位置する。ハンドル１０４は、円筒部１０１の前端部から、前方に延びる。
【０１１０】
ギア部１０５Ｒは、円筒部１０１の右後端部に位置する。ギア部１０５Ｒは、連結管９５Ｒの左方に位置する。ギア部１０５Ｒは、側面視において、円筒部１０１の後方部分略４５°の範囲に位置する。ギア部１０５Ｒは、略円弧形状を有する。ギア部１０５Ｒは、板形状を有する。ギア部１０５Ｒは、その周面にギア歯を有する。
【０１１１】
ギア部１０５Ｌは、円筒部１０１の左後端部に位置する。ギア部１０５Ｌは、連結管９５Ｌの右方に位置する。ギア部１０５Ｌは、左右方向に投影したときに、ギア部１０５Ｒと同一形状を有する。
【０１１２】
そして、円筒部１０１は、ハンドル１０４が前方に向かって延びる傾倒位置（図４Ｂ参照）と、ハンドル１０４が前上方に向かって延びるように起立する起立位置（図４Ａ参照）とに、トナー収容部８５の周面に沿って移動可能である。
【０１１３】
シャッタ１０２は、搬送管９４の左右方向中央に位置する。シャッタ１０２は、搬送管９４の周面を被覆する。シャッタ１０２は、円筒部１０１の後方に位置する。シャッタ１０２は、左右方向に延びる。シャッタ１０２は、円筒形状を有する。シャッタ１０２は、搬送管９４に対して、相対回転可能である。シャッタ１０２の前端部は、連結管９５Ｒと連結管９５Ｌとの間に位置する。シャッタ１０２は、ギア部１０７Ｒと、ギア部１０７Ｌを備える。
【０１１４】
ギア部１０７Ｒは、シャッタ１０２の右前端部に位置する。ギア部１０７Ｒは、連結管９５Ｒの左方に位置する。ギア部１０７Ｒは、側面視において、シャッタ１０２の前方部分略１８０°の範囲に位置する。ギア部１０７Ｒは、略円弧形状を有する。ギア部１０７Ｒは、板形状を有する。ギア部１０７Ｒは、その周面にギア歯を有する。ギア部１０７Ｒは、円筒部１０１のギア部１０５Ｒと噛み合う。
【０１１５】
ギア部１０７Ｌは、シャッタ１０２の左前端部に位置する。ギア部１０７Ｌは、連結管９５Ｌの右方に位置する。ギア部１０７Ｌは、左右方向に投影したときに、ギア部１０７Ｒと同一形状を有する。ギア部１０７Ｌは、円筒部１０１のギア部１０５Ｌと噛み合う。
【０１１６】
貫通穴１０８は、図４Ｂおよび図６に示すように、シャッタ１０２の前方部分に位置する。貫通穴１０８は、ギア部１０７Ｒとギア部１０７Ｌとの間に位置する。貫通穴１０８は、シャッタ１０２の前方の周面を前後方向に貫通する。貫通穴１０８は、平面視略矩形状を有する。
【０１１７】
そして、シャッタ１０２は、トナー供給口９７を閉鎖する閉鎖位置（図４Ｂ参照）と、貫通穴１０８がトナー供給口９７と上下方向において一致し、トナー供給口９７を開放する開放位置（図４Ａ参照）とに、搬送管９４の周面に沿って移動可能である。
【０１１８】
なお、シャッタ１０２は、図４Ｂに示すように、円筒部１０１が傾倒位置に位置するときに、閉鎖位置に位置し、円筒部１０１が起立位置に位置するときに、開放位置に位置する。
【０１１９】
（２）トナーカートリッジの装着状態
トナーカートリッジ１５は、図７Ａに示すように、トナーカートリッジ装着部５７に装着された状態で、隔壁４７の前方に位置する。言い換えると、トナーカートリッジ１５は、感光ドラム１７と現像ローラ２５との並び方向において、現像器２４に対して、感光ドラム１７の反対側に位置する。なお、連動部８７の円筒部１０１は、隔壁４７の溝５０に嵌まる。
【０１２０】
このとき、アジテータ軸９０Ａの右端部は、ドラムカートリッジ１４の側壁４４Ｒの第２溝５２の後端部に嵌まる。アジテータ軸９０Ａの右端部は、係止部５３よりも後方に位置する。アジテータ軸９０Ａの左端部は、図示しないが、ドラムカートリッジ１４の側壁４４Ｌの第２溝５２の後端部に嵌まる。アジテータ軸９０Ａの左端部は、係止部５３よりも後方に位置する。これにより、係止部５３は、トナーカートリッジ１５が、ガイド部４９に対して前方に移動することを規制する。
【０１２１】
また、搬送部８６は、隔壁４７よりも上方において、隔壁４７の後方に突出する。これにより、搬送部８６の搬送管９４は、フレーム４０の隔壁４８に受け入れられる。つまり、隔壁４８は、トナーカートリッジ１５と、シール部材６３との間に位置する。
【０１２２】
また、円筒部１０１は、起立位置に位置し、シャッタ１０２は、開放位置に位置する。
【０１２３】
このとき、シャッタ１０２が開放位置に位置することにより、ギア部１０７Ｒおよびギア部１０７Ｌが、シャッタ１０２の下方に位置する。
【０１２４】
そして、シャッタ１０２のギア部１０７Ｒおよびギア部１０７Ｌが、隔壁４８のロック部５６に当接し、ロック部５６は、第２位置に位置する。
【０１２５】
これにより、トナー供給口９７と、シャッタ１０２の貫通穴１０８と、隔壁４８のトナー連通口５４と、シール部材６３の連通口８０と、現像器２４のトナー受入口７３とが、上下方向において一致する。つまり、トナーカートリッジ１５がトナーカートリッジ装着部５７に装着された状態で、トナー供給口９７は、トナー受入口７３に対して、上方から向かい合う。シール部材６３は、トナー供給口９７と、トナー受入口７３との間に位置する。隔壁４８のトナー連通口５４は、トナー供給口９７と、トナー受入口７３とを連通する。
【０１２６】
なお、ロック部５６と、係止部５３とによって、トナーカートリッジ１５が、トナーカートリッジ装着部５７から離脱することを規制する。
【０１２７】
４．装置本体の詳細
装置本体２は、図１０に示すように、受入溝１７１を有する右方の側壁１７０と、受入溝１７１を有する図示しない左方の側壁と、２つの離間部材１７２とを備える。
【０１２８】
側壁１７０は、装置本体２の右端部に位置する。側壁１７０は、上下方向および前後方向に延びる。側壁１７０は、板形状を有する。
【０１２９】
受入溝１７１は、側壁１７０の左右方向内面から左右方向外方に向かって窪む。受入溝１７１は、開口部９から、後下方に向かって延びる。
【０１３０】
図示しない側壁は、装置本体２の左端部に位置する。図示しない側壁は、側壁１７０と同様に、左右方向内面に受入溝１７１を有する。
【０１３１】
そして、側壁１７０および図示しない側壁の受入溝１７１は、プロセスカートリッジ３の感光ドラム１７のドラム軸１７Ｂを受け入れる。
【０１３２】
これにより、装置本体２は、プロセスカートリッジ３を支持する。
【０１３３】
２つの離間部材１７２は、左右方向から見て、受入溝１７１の後下端部の前方に位置する。２つの離間部材１７２は、図３に示すように、左右方向に間隔を隔てて位置する。離間部材１７２は、図２Ｂおよび図１０に示すように、上下方向に延びる。離間部材１７２は、略角柱形状を有する。離間部材１７２は、離間部材１７２の下端部を支点として回動可能である。右方の離間部材１７２の上端部は、図３に示すように、供給ローラ２６の突出部２６ＣＲの前端部に向かい合う。左方の離間部材１７２の上端部は、図２Ｂおよび図３に示すように、突出部２６ＣＬの前端部と向かい合う。離間部材１７２は、突出部２６ＣＲおよび突出部２６ＣＬを押圧することで、感光ドラム１７に接触している現像ローラ２５を、感光ドラム１７から離間させるように構成される。
【０１３４】
５．トナーカートリッジおよびプロセスカートリッジの着脱動作
トナーカートリッジ１５は、ドラムカートリッジ１４が装置本体２に装着された状態、または、ドラムカートリッジ１４が装置本体２から離脱された状態のいずれであっても、ドラムカートリッジ１４に対して着脱可能である。
【０１３５】
以下の説明において、ドラムカートリッジ１４が装置本体２に装着された状態におけるトナーカートリッジ１５の着脱動作について、説明する。
【０１３６】
（１）トナーカートリッジの離脱
トナーカートリッジ１５をドラムカートリッジ１４から離脱するときには、作業者は、図９に示すように、装置本体２のフロントカバー１０を開位置に位置させる。
【０１３７】
次いで、作業者は、図８に示すように、ハンドル１０４を把持して、円筒部１０１を傾倒位置に位置させる。
【０１３８】
すると、シャッタ１０２のギア部１０７Ｒおよびギア部１０７Ｌが、隔壁４８のロック部５６と当接し、シャッタ１０２とロック部５６とが、ともに、左側面視反時計周りに回転する。
【０１３９】
これにより、シャッタ１０２が閉鎖位置に位置し、ロック部５６が第１位置に位置する。
【０１４０】
そして、作業者は、図９に示すように、トナーカートリッジ１５をドラムカートリッジ１４から前上方へ引き抜く。
【０１４１】
これにより、トナーカートリッジ１５がドラムカートリッジ１４から離脱される。
【０１４２】
（２）トナーカートリッジの装着
トナーカートリッジ１５をドラムカートリッジ１４に装着するには、フロントカバー１０を開位置に位置させる。
【０１４３】
そして、図８に示すように、アジテータ軸９０Ａをガイド部４９の第１溝５１および第２溝５２に沿うようにして、トナーカートリッジ１５をトナーカートリッジ装着部５７に装着する。
【０１４４】
このとき、アジテータ軸９０Ａは、係止部５３を乗り越え、係止部５３よりも後方に位置する。
【０１４５】
また、搬送部８６は、隔壁４８の内部に配置される。
【０１４６】
そして、作業者は、図７Ａに示すように、ハンドル１０４を把持して、円筒部１０１を傾倒位置から起立位置に移動させる。
【０１４７】
すると、シャッタ１０２のギア部１０７Ｒおよびギア部１０７Ｌが、隔壁４８のロック部５６と当接し、シャッタ１０２とロック部５６とが、ともに、左側面視時計回りに回転する。
【０１４８】
これにより、シャッタ１０２が開放位置に位置し、ロック部５６が第２位置に位置する。
【０１４９】
そして、図１に示すように、フロントカバー１０を閉位置に位置させる。
【０１５０】
これにより、トナーカートリッジ１５がドラムカートリッジ１４に装着される。
【０１５１】
６．プロセスカートリッジの着脱動作
（１）プロセスカートリッジの離脱
プロセスカートリッジ３を装置本体２から離脱するときには、作業者は、図１０に示すように、装置本体２のフロントカバー１０を開位置に位置させる。
【０１５２】
次いで、プロセスカートリッジ３を装置本体２から前上方に引き出す。
【０１５３】
これにより、プロセスカートリッジ３が、受入溝１７１に沿って移動し、プロセスカートリッジ３が装置本体２から離脱される。
【０１５４】
（２）プロセスカートリッジの装着
プロセスカートリッジ３を装置本体２に装着するときには、作業者は、フロントカバー１０を開位置に位置させた後、プロセスカートリッジ３を装置本体２内に挿入する。
【０１５５】
このとき、プロセスカートリッジ３の感光ドラム１７のドラム軸１７Ｂが、受入溝１７１に沿うようにして、装着する。
【０１５６】
そして、作業者は、フロントカバー１０を閉位置に位置させる。
【０１５７】
これにより、プロセスカートリッジ３が装置本体２に装着される。
【０１５８】
７．画像形成動作
図１に示すように、画像形成装置１が画像形成動作を開始すると、帯電ローラ１９は、感光ドラム１７の表面を一様に帯電する。スキャナユニット７は、レーザービームＬを出射し、感光ドラム１７の表面を露光する。これにより、画像データに基づく静電潜像が、感光ドラム１７の表面に形成され、担持される。
【０１５９】
また、図６および図７Ａに示すように、トナーカートリッジ１５では、アジテータ９０が、トナー収容部８５内のトナーを撹拌し、連結管９５Ｒおよび連結管９５Ｌを介して、トナーを搬送管９４に搬送する。
【０１６０】
次いで、オーガスクリュー９６は、搬送ギア９９に駆動力が入力されることにより、共に回転し、搬送管９４内のトナーを、搬送管９４の左右方向略中央に向けて搬送する。
【０１６１】
そして、トナーは、図７Ａに示すように、トナー供給口９７、シャッタ１０２の貫通穴１０８、隔壁４８のトナー連通口５４、シール部材６３の連通口８０、および、トナー受入口７３を介して、トナー収容部２８に供給される。
【０１６２】
次いで、第２スクリュー３０は、トナー収容部２８内のトナーを左右方向に搬送する。トナー収容部２８内のトナーは、左右方向における区画壁７０の両端部に設けられた開口を通過して、現像部３１に供給される。
【０１６３】
第１スクリュー２９は、現像部３１内のトナーを左右方向に搬送する。現像部３１内のトナーは、供給ローラ２６に供給される。
【０１６４】
そして、供給ローラ２６は、現像部３１内のトナーを現像ローラ２５に供給する。このとき、トナーは、現像ローラ２５と供給ローラ２６との間で正極性に摩擦帯電され、現像ローラ２５に担持される。層厚規制ブレード２７は、現像ローラ２５に担持されたトナーの層厚を一定厚さに規制する。
【０１６５】
そして、現像ローラ２５に担持されたトナーは、感光ドラム１７表面の静電潜像に供給される。これにより、トナー像が、感光ドラム１７の表面に担持される。
【０１６６】
用紙Ｐは、図１に示すように、給紙トレイ１１から、所定のタイミングで１枚ずつ、感光ドラム１７と転写ローラ１８との間に給紙される。感光ドラム１７表面のトナー像は、用紙Ｐが感光ドラム１７と転写ローラ１８との間を通過するときに、用紙Ｐに転写される。
【０１６７】
次いで、用紙Ｐは、加熱ローラ３２と加圧ローラ３３との間を通過するときに加熱および加圧される。これにより、用紙Ｐ上のトナー像は、用紙Ｐに熱定着される。
【０１６８】
その後、用紙Ｐは、排紙トレイ１２に積載される。
【０１６９】
なお、上記した画像形成動作において、感光ドラム１７および現像ローラ２５の回転により、感光ドラム１７に対して、現像器２４が移動する。具体的には、現像器２４は、回動軸７７を支点として、穴６０に沿って、回動する。
【０１７０】
このように、現像器２４が、左側面視反時計回り、すなわち、トナーカートリッジ１５に近づくように回動するときは、湾曲部７２と、隔壁４８との間で、シール部材６３を圧縮する。
【０１７１】
具体的には、湾曲部７２におけるトナー受入口７３よりも後方部分が、隔壁４８におけるトナー連通口５４よりも後方部分の外周面に対して近づくことにより、シール部材６３の後端部６３Ａが圧縮される。また、湾曲部７２におけるトナー受入口７３よりも前方部分が、隔壁４８におけるトナー連通口５４よりも前方部分の外周面に対して近づくことにより、シール部材６３の前端部６３Ｂが圧縮される。
【０１７２】
８．感光ドラムと現像ローラとの接離動作
離間部材１７２は、図２Ｂに示すように、クリーニング動作、ウォームアップ動作時などに、下端部を支点として左側面視時計回りに回動する。
【０１７３】
これにより、離間部材１７２は、供給ローラ２６の突出部２６ＣＲおよび突出部２６ＣＬを前方に押圧する。すると、図７Ｂに示すように、現像器２４が、ばね６１の付勢力に抗して、回動軸７７を支点として、穴６０に沿って左側面視反時計回りに回動する。こうして、現像器２４は、現像ローラ２５が感光ドラム１７と接触する接触位置から、現像ローラ２５が感光ドラム１７から離間する離間位置へと移動する。
【０１７４】
具体的には、湾曲部７２におけるトナー受入口７３よりも後方部分が、隔壁４８におけるトナー連通口５４よりも後方部分の外周面に対して近づくことにより、シール部材６３の後端部６３Ａが圧縮される。また、湾曲部７２におけるトナー受入口７３よりも前方部分が、隔壁４８におけるトナー連通口５４よりも前方部分の外周面に対して近づくことにより、シール部材６３の前端部６３Ｂが圧縮される。
【０１７５】
９．作用効果
（１）画像形成装置１によれば、図７Ａに示すように、現像器２４のトナー受入口７３の周囲およびトナーカートリッジ１５のトナー供給口９７の周囲を覆うシール部材６３が配置されることにより、トナー漏れを抑制している。
【０１７６】
そして、図７Ｂに示すように、現像器２４がトナーカートリッジ１５に近づくように回動するときには、シール部材６３の後端部６３Ａおよび前端部６３Ｂの両方が圧縮される。
【０１７７】
そのため、現像器２４がトナーカートリッジ１５に近づくように回動するときに、トナー受入口７３の周囲とトナー供給口９７の周囲との間で、シール部材６３を確実に圧縮することができる。
【０１７８】
その結果、トナー供給口９７の周囲とトナー受入口７３の周囲との間に、シール部材６３との、隙間が生じることを抑制することができるので、トナーカートリッジ１５と現像器２４との間のトナー漏れを抑制することができる。
【０１７９】
（２）画像形成装置１によれば、図２Ａに示すように、回動軸７７は、感光ドラム１７の接線であって、感光ドラム１７の軸線と現像ローラ２５の軸線とを通る線分Ｓと直交する仮想線Ｖ上に位置する。
【０１８０】
そのため、図７Ｂに示すように、現像器２４を回動させるときに、現像ローラ２５を感光ドラム１７に対して、回動軸７７を中心とする円の接線に沿って接離させることができる。
【０１８１】
そのため、現像ローラ２５の感光ドラム１７に対する接離において、感光ドラム１７と現像ローラ２５との間における摩擦力の発生を抑制することができる。
【０１８２】
その結果、現像器２４を安定して回動させることができる。
【０１８３】
（３）画像形成装置１によれば、図２Ａに示すように、線分Ｓの延びる方向において、シール部材６３と感光ドラム１７の軸線との間に回動軸７７が位置するので、図７Ｂに示すように、回動軸７７を支点として、現像器２４を、感光ドラム１７とトナーカートリッジ１５との間で、確実に回動させることができる。
【０１８４】
（４）画像形成装置１によれば、図２Ｂおよび図３に示すように、フレーム４０の穴６０が、現像器２４の軸線方向に突出する供給ローラ２６の突出部２６ＣＲおよび突出部２６ＣＬを受け入れることで、フレーム４０によって、現像器２４を安定して支持することができる。
【０１８５】
（５）画像形成装置１によれば、図２Ｂおよび図７Ｂに示すように、離間部材１７２によって、感光ドラム１７から現像ローラ２５を離間させることで、現像器２４は、トナーカートリッジ１５に近づくように回動する。
【０１８６】
これにより、トナー受入口７３とトナー供給口９７との間で、シール部材６３が圧縮されるので、トナーカートリッジ１５と現像器２４との間のトナー漏れを抑制することができる。
【０１８７】
（６）画像形成装置１によれば、図３および図７Ａに示すように、ばね６１によって筐体を押圧することにより、感光ドラム１７に対して、現像ローラ２５を安定して接触させることができる。
【０１８８】
（７）画像形成装置１によれば、図７Ａおよび図７Ｂに示すように、シール部材６３を、現像器２４の回動に合わせて、容易に変形させることができる。
【０１８９】
（８）画像形成装置１によれば、図７Ｂに示すように、現像器２４がトナーカートリッジ１５に近づくように回動するときに、現像器２４と隔壁４８との間で、シール部材６３を圧縮することができる。
【０１９０】
そのため、現像器２４の回動によって、シール部材６３を圧縮するときに、トナーカートリッジ１５に力が加わることを抑制することができる。
【０１９１】
つまり、現像器２４が回動するときに、隔壁４８によって、トナーカートリッジ１５が移動することを抑制することができる。
【０１９２】
また、隔壁４８のトナー連通口５４を介して、トナー供給口９７からトナー受入口７３へ確実にトナーを供給することができる。
【０１９３】
（９）画像形成装置１によれば、図７Ｂに示すように、現像器２４をトナーカートリッジ１５に近づくように回動させることにより、トナー受入口７３を上方に向かうように、トナー供給口９７に対して近づけることができる。
【０１９４】
これにより、トナー供給口９７から、トナー受入口７３へ、確実にトナーを供給することができる。
【０１９５】
（１０）画像形成装置１によれば、搬送部８６がシール部材６３よりも上方に配置されるので、搬送部８６内のトナーを自重により現像フレーム６２に供給することができる。そのため、搬送部８６から現像フレーム６２に容易にトナーを供給することができる。
【０１９６】
また、トナー収容部８５の一部が、シール部材６３よりも下方に配置されるので、フレーム４０に対してトナーカートリッジ１５を装着したときに、トナー収容部８５の自重により、シール部材６３が圧縮され難い。そのため、安定して現像器２４を回動させることができる。
【０１９７】
１０．第２実施形態
次に、図１１Ａおよび図１１Ｂを参照して、本発明の画像形成装置の第２実施形態を説明する。なお、第２実施形態において、上記した第１実施形態と同様の部材には同様の符号を付し、その説明を省略する。
【０１９８】
第１実施形態では、図２Ａおよび図７Ａに示すように、フレーム４０は、トナーカートリッジ１５の搬送部８６の搬送管９４を受け入れる隔壁４８を備える。
【０１９９】
対して、第２実施形態では、図１１Ａに示すように、フレーム４０は、隔壁４８に代えて、接触壁２００を備えることもできる。
【０２００】
接触壁２００は、隔壁４７の後上方に間隔を隔てて位置する。接触壁２００は、左右方向に延びる。接触壁２００は、板形状を有する。接触壁２００は、側壁４４Ｒと側壁４４Ｌとの間に位置する。接触壁２００の後端部は、シール部材６３の後端部６３Ａに向かって湾曲する。接触壁２００の後端部は、搬送部８６の搬送管９４の外周面に沿って湾曲する。
【０２０１】
また、シール部材６３の前端部６３Ｂの上端部は、前方に向かうにつれて下方に傾斜する。
【０２０２】
そして、図１１Ｂに示すように、トナーカートリッジ１５がトナーカートリッジ装着部５７に装着されると、搬送部８６の搬送管９４は、シール部材６３のシール部材６３の上端部の傾斜に沿って、接触壁２００の後端部と、シール部材６３との間に受け入れられる。つまり、シール部材６３の下面は、現像器２４の湾曲部７２と接触し、シール部材６３の上面は、トナーカートリッジ１５の搬送管９４と接触する。
【０２０３】
これにより、シール部材６３は、トナーカートリッジ１５の搬送管９４と、現像器２４の湾曲部７２との間において、上下方向に圧縮された状態で保持される。
【０２０４】
搬送管９４は、シール部材６３が圧縮された状態で保持されることにより、接触壁２００に向けて押圧される。これにより、搬送管９４は、接触壁２００と接触する。
【０２０５】
このように、トナーカートリッジ１５は、トナーカートリッジ装着部５７に装着されたときに、シール部材６３を圧縮する。
【０２０６】
トナーカートリッジ１５がトナーカートリッジ装着部５７に装着されることにより、シール部材６３が圧縮される方向は、トナーカートリッジ１５の装着方向と略直交する。
【０２０７】
また、言い換えると、接触壁２００は、現像器２４の回動方向において、トナーカートリッジ１５に対して、シール部材６３と反対側に位置する。
【０２０８】
そして、現像器２４が、左側面視反時計回り、すなわち、トナーカートリッジ１５に近づくように回動するときは、湾曲部７２と、搬送管９４との間で、シール部材６３を圧縮する。
【０２０９】
具体的には、湾曲部７２におけるトナー受入口７３よりも後方部分が、搬送管９４におけるトナー供給口９７よりも後方部分の外周面に対して近づくことにより、シール部材６３の後端部６３Ａが圧縮される。また、湾曲部７２におけるトナー受入口７３よりも前方部分が、搬送管９４におけるトナー連通口５４よりも前方部分の外周面に対して近づくことにより、シール部材６３の前端部６３Ｂが圧縮される。
【０２１０】
第２実施形態によれば、図１１Ｂに示すように、現像器２４は、トナーカートリッジ１５に近づくように回動することにより、シール部材６３を圧縮し、トナーカートリッジ１５も現像器２４の回動に沿って移動する力が加わるが、接触壁２００によって、トナーカートリッジ１５の移動を規制することができる。
【０２１１】
第２実施形態によれば、図１１Ｂに示すように、トナーカートリッジ１５をフレーム４０に装着するだけで、シール部材６３が圧縮される。
【０２１２】
そのため、トナー供給口９７とトナー受入口７３との間に、シール部材６３との、隙間が生じることをより確実に抑制することができる。
【０２１３】
第２実施形態によれば、図１１Ｂに示すように、トナーカートリッジ１５がフレーム４０に対して装着された状態で、シール部材６３がトナーカートリッジ１５の搬送管９４を、トナーカートリッジ１５の着脱方向と直交する方向に押圧するので、フレーム４０からトナーカートリッジ１５が離脱することを抑制することができる。
【０２１４】
また、このような第２実施形態においても、上記した第１実施形態と同様の作用効果を奏することができる。
【０２１５】
１１．第３実施形態
次に、図１２および図１３を参照して、本発明の画像形成装置の第３実施形態を説明する。なお、第３実施形態において、上記した第１実施形態および第２実施形態と同様の部材には同様の符号を付し、その説明を省略する。
【０２１６】
第１実施形態では、図２および図７Ａに示すように、フレーム４０は、トナーカートリッジ１５の搬送部８６の搬送管９４を受け入れる隔壁４８を備える。
【０２１７】
第２実施形態では、図１１Ａおよび図１１Ｂに示すように、フレーム４０は、接触壁２００を備え、接触壁２００と、シール部材６３とによって、搬送部８６の搬送管９４を受け入れる。
【０２１８】
対して、第３実施形態では、図１２に示すように、フレーム４０の側壁４４Ｒは、ガイド溝２１０を有する。また、フレーム４０の側壁４４Ｌは、側壁４４Ｒと同様に、ガイド溝２１０を有する。
【０２１９】
ガイド溝２１０は、側壁４４Ｒの上端部に位置する。ガイド溝２１０は、側壁４４Ｒの左右方向内面から、左右方向外方に向かって窪む。ガイド溝２１０は、第１溝５１の上端部と連続する。ガイド溝２１０は、第１溝５１の上端部から、後方に向かって延びる。ガイド溝２１０の後端部は、シール部材６３の上方に位置する。
【０２２０】
また、第３実施形態では、図１３に示すように、トナーカートリッジ１５において、オーガスクリュー９６の右端部は、連結管９５Ｒの右壁よりも右方に突出する。搬送部８６の左端部は、連結管９５Ｌの左壁よりも左方に突出する。
【０２２１】
そして、オーガスクリュー９６の右端部を側壁４４Ｒのガイド溝２１０に沿わせ、オーガスクリュー９６の左端部を側壁４４Ｌのガイド溝２１０に沿うようにして、トナーカートリッジ１５をトナーカートリッジ装着部５７に装着する。
【０２２２】
これにより、オーガスクリュー９６の右端部は、側壁４４Ｒのガイド溝２１０の後端部に嵌まる。オーガスクリュー９６の左端部は、側壁４４Ｌのガイド溝２１０の後端部に嵌まる。
【０２２３】
そして、現像器２４が左側面視反時計回りに回動すると、オーガスクリュー９６の左右方向両端部が、ガイド溝２１０の前端部の上面に当接する。
【０２２４】
こうして、ガイド溝２１０によって、トナーカートリッジ１５の移動が規制される。つまり、ガイド溝２１０の後端部の上壁が、接触壁の一例として構成される。
【０２２５】
このような第３実施形態においても、上記した第１実施形態と同様の作用効果を奏することができる。
【０２２６】
１２．第１実施形態の変形例
次に、図１４Ａを参照して、本発明の画像形成装置の第１実施形態の変形例を説明する。
【０２２７】
上記した第１実施形態では、現像器２４は、シール部材６３を備えるが、シール部材６３に代えて、シール部材６３よりも前後方向寸法が長いシール部材２２０を備えてもよい。
【０２２８】
シール部材２２０は、湾曲部７２の上面に位置する。シール部材２２０の後端部は、湾曲部７２の後端部よりも後方に突出する。
【０２２９】
このような場合に、現像器２４が、左側面視反時計周り、すなわち、トナーカートリッジ１５に近づくように回動すると、シール部材２２０の後端部は圧縮されず、湾曲部７２と面する部分のみが圧縮される。
【０２３０】
具体的には、湾曲部７２におけるトナー受入口７３よりも後方部分が、隔壁４８におけるトナー連通口５４よりも後方部分の外周面に対して近づくことにより、シール部材２２０において、湾曲部７２の後端部と接触する後端部２２０Ａ（第１端部）が圧縮される。また、湾曲部７２におけるトナー受入口７３よりも前方部分が、隔壁４８におけるトナー連通口５４よりも前方部分の外周面に対して近づくことにより、シール部材２２０において、湾曲部７２の前端部と接触する前端部２２０Ｂ（第２端部）が圧縮される。
【０２３１】
このような第１実施形態の変形例においても、上記した第１実施形態と同様の作用効果を奏することができる。
【０２３２】
１３．第２実施形態の変形例
次に、図１４Ａを参照して、本発明の画像形成装置の第２実施形態の変形例を説明する。
【０２３３】
上記した第２実施形態では、現像器２４は、シール部材６３を備えるが、シール部材６３に代えて、上記した第１実施形態の変形例のシール部材２２０を備えてもよい。
【０２３４】
このような場合には、シール部材２２０は、搬送管９４と、湾曲部７２とによって、圧縮される。
【０２３５】
このような第２実施形態の変形例においても、上記した第２実施形態と同様の作用効果を奏することができる。
【０２３６】
１４．変形例
本発明は、上記した実施形態に限定されない。例えば、回動軸７７は、軸受を介して、側壁４４Ｒおよび側壁４４Ｌに支持されてもよい。
【０２３７】
また、回動軸７７は、アーム７６Ｒおよびアーム７６Ｌと一体に形成することもできる。
【０２３８】
また、上記した実施形態では、アーム７６Ｒおよびアーム７６Ｌが回動軸７７を備えるが、側壁４４Ｒおよび側壁４４Ｌが回動軸７７を備えるように構成することもできる。このような場合には、アーム７６Ｒおよびアーム７６Ｌが、支持部５９を備え、側壁４４Ｒおよび側壁４４Ｌの回動軸７７が、支持部５９に挿通される。
【０２３９】
また、回動軸７７は、側壁４４Ｒおよび側壁４４Ｌと一体に形成することもできる。
【０２４０】
また、上記した実施形態では、ドラム軸１７Ｂは、側壁４４Ｌおよび側壁４４Ｒに支持されるが、軸受を介して、側壁４４Ｌおよび側壁４４Ｒに支持されてもよい。
【０２４１】
また、ばね６１は、２つに限定されず、１つであってもよく、３つ以上であってもよい。
【０２４２】
また、離間部材１７２は、２つに限定されず、１つであってもよい。
【０２４３】
また、上記した実施形態では、穴６０は、支持部５９を中心とする略円弧形状を有するが、突出部２６ＣＲおよび突出部２６ＣＬよりも大径の略円形状を有してもよい。
【符号の説明】
【０２４４】
１        画像形成装置
１５      トナーカートリッジ
１７      感光ドラム
２４      現像器
２５      現像ローラ
２６ＣＲ  突出部
２６ＣＬ  突出部
４０      フレーム
４８      隔壁
５４      トナー連通口
６０      穴
６１      ばね
６３      シール部材
６３Ａ    後端部
６３Ｂ    前端部
７３      トナー受入口
７７      回動軸
８０      貫通穴
８５      トナー収容部
８６      搬送部
９７      トナー供給口
１７２    離間部材
２００    接触壁
２２０    シール部材
２２０Ａ  後端部
２２０Ｂ  前端部
【図１】
2017076054.tif 000003
【図２】
2017076054.tif 000004
【図３】
2017076054.tif 000005
【図４】
2017076054.tif 000006
【図５】
2017076054.tif 000007
【図６】
2017076054.tif 000008
【図７】
2017076054.tif 000009
【図８】
2017076054.tif 000010
【図９】
2017076054.tif 000011
【図１０】
2017076054.tif 000012
【図１１】
2017076054.tif 000013
【図１２】
2017076054.tif 000014
【図１３】
2017076054.tif 000015
【図１４】
2017076054.tif 000016